(57)【要約】【課題】保湿容器の密閉性を高めるとともに中身のウェットティッシュ等を片手で取り出しやすくする。【解決手段】湿潤シート８を収納する容器本体と、この容器本体に設けられた湿潤シート８の取出口２と、この取出口を開閉する容器本体にヒンジ９で結合された開閉蓋３とを具備した保湿容器において、容器本体に取出口より大きい開口部１ｄが形成され、この開口部が取出口を有する覆板６により遮蔽され、ヒンジに対応する箇所には開閉蓋を常時開方向に付勢するバネ部材１０が設けられ、覆板とバネ部材は、弾性を有する軟質材で一体成形される。【選択図】図５
2008100748.tif 000002
【特許請求の範囲】
【請求項１】
湿潤シートを収納する容器本体と、この容器本体又は容器本体の着脱部材に設けられた湿潤シートの取出口と、この取出口を開閉する上記容器本体又は上記着脱部材にヒンジ結合された開閉蓋とを具備した保湿容器において、上記容器本体又は上記着脱部材に上記取出口より大きい開口部が形成され、この開口部が上記取出口を有する覆板により遮蔽され、上記ヒンジに対応する箇所には上記開閉蓋を常時開方向に付勢するバネ部材が設けられ、上記覆板と上記バネ部材は、弾性を有する軟質材で一体成形されたことを特徴とする保湿容器。
【請求項２】
請求項１に記載の保湿容器において、開閉蓋が閉じた時に上記取出口を密閉するシール部材が上記開閉蓋の内面に取り付けられ、このシール部材が上記覆板及び上記バネ部材ととともに弾性を有する軟質材で一体成形されたことを特徴とする保湿容器。
【請求項３】
請求項１又は請求項２に記載の保湿容器において、取出口を取り囲み得る環状の嵌合部材が上記容器本体又は上記着脱部材と嵌合することにより、上記覆板がこの嵌合部材と上記容器本体又は上記着脱部材との間に挟持されたことを特徴とする保湿容器。
【請求項４】
請求項３に記載の保湿容器において、上記シール部材が密着しうる環状突起が嵌合部材に形成されたことを特徴とする保湿容器。
【請求項５】
請求項１乃至請求項４のいずれかに記載の保湿容器において、着脱部材が、容器本体に形成された湿潤シートの重畳体又はロールの挿入口を開閉する蓋体であることを特徴とする保湿容器。
【発明の詳細な説明】
【技術分野】
【０００１】
本発明は、ウェットティッシュ等の湿潤シートを収納する保湿容器に関する。
【背景技術】
【０００２】
ウェットティッシュ等の湿潤シートを収納する保湿容器は、湿潤シートを収納する容器本体と、この容器本体に形成された湿潤シートの取出口と、この取出口を開閉する容器本体にヒンジ結合された開閉蓋とを具備する。湿潤シートは、その多数のものがＺ字状に折られ、隣り合うもの同士で折れ部が互いに他方の間に入り込むように積み重ねられた状態で容器本体内に収納され、あるいは連続状の湿潤シートが一定間隔で入れられた切取線上でジグザグ折りされた状態で容器本体内に収納され、あるいは切取線が所定間隔で設けられた連続シートがロール状に巻き取られた状態で容器本体内に収納される。最上位の湿潤シート又は始端側の湿潤シートを取出口から引き出すと、これに連なるように後続の湿潤シートの先端部分が取出口から引き出され、取出口の端に引っ掛かって停止する。以後同様にして湿潤シートが一枚ずつ取出口から取り出される。
【０００３】
また、この種の保湿容器の開閉蓋は、湿潤シートに含浸したアルコール等の薬液、水等が蒸散しないように、湿潤シートの取出口の周辺部に密着するように、パッキン等のシール部材と共に設けられる（例えば、特許文献１，２，３，４，５参照。）。
【０００４】
また、この種の保湿容器の開閉蓋は、湿潤シートを取り出しやすくするため、そのヒンジに対応する箇所に設けられたバネ部材により常時開方向に付勢される（例えば、特許文献１，２参照。）。
【０００５】
【特許文献１】特開平１１−４９２０６号公報
【特許文献２】特開２０００−１４２８４２号公報
【特許文献３】特開２００１−２２５８７９号公報
【特許文献４】特表２００２−５２９３２２号公報
【特許文献５】特開２００４−２９９７６８号公報
【発明の開示】
【発明が解決しようとする課題】
【０００６】
ウェットティッシュ等の湿潤シートの先行するものが取出口から取り出されると、後続のものが先行するものに引きずられて取出口の縁に引っかかって停止し待機状態に保持される。ところが、取出口が大面積であるとか、円形等単純な形状であったりすると、後続の湿潤シートが容器本体内に落下し、次回の湿潤シートの取り出しが面倒になる。そのため、後続の湿潤シートの先端部が取出口に適正に保持されるように、従来の保湿容器の取出口は小面積に形成され（例えば、特許文献２参照。）、あるいは取出口の縁に湿潤シートの先端部を掛けるための突起等が形成される（例えば、特許文献１参照。）。
【０００７】
ところが、従来の取出口は後続の湿潤シートを待機位置に保持することができるが、取出口が容器本体の硬い壁に形成されるので、湿潤シートを取り出そうとするときに、取出口から覗く湿潤シートの先端部を指で摘み難く、また、取り出す際に湿潤シートが取出口側に強い力で拘束されるので、湿潤シートに引きずられ容器本体が持ち上げられ、結局湿潤シートを片手で取り出すことができなくなるという問題がある。このため、容器から湿潤シートを取り出すには、一方の手で湿潤シートをつかみ、他方の手で容器を押さえるといった面倒な両手操作が必要となる。その場合、汚れた手で容器を押さえることになるので、容器が汚れるという問題も生じる。
【０００８】
また、開閉蓋を常時開方向に付勢するバネ部材、開閉蓋による容器本体の密閉性を高めるためのシール部材等を保湿容器に設けるとすると、保湿容器の構造が複雑化し、部品点数や組立工数が増加するという問題がある。
【０００９】
本発明はこのような問題を解消することができる保湿容器を提供することを目的とする。
【課題を解決するための手段】
【００１０】
上記課題を解決するため、本発明は次のような構成を採用する。
【００１１】
すなわち、請求項１に係る発明は、湿潤シート（８）を収納する容器本体（１）と、この容器本体又は容器本体（１）の着脱部材（１８ａ）に設けられた湿潤シート（８）の取出口（２）と、この取出口（２）を開閉する上記容器本体（１）又は上記着脱部材（１８ａ）にヒンジ（９）で結合された開閉蓋（３）とを具備した保湿容器において、上記容器本体（１）又は上記着脱部材（１８ａ）に上記取出口（２）より大きい開口部（１ｄ）が形成され、この開口部（１ｄ）が上記取出口（２）を有する覆板（６）により遮蔽され、上記ヒンジ（９）に対応する箇所には上記開閉蓋（３）を常時開方向に付勢するバネ部材（１０）が設けられ、上記覆板（６）と上記バネ部材（１０）は、弾性を有する軟質材で一体成形されたことを特徴とする。
【００１２】
上記保湿容器において、開閉蓋（３）が閉じた時に上記取出口（２）を密閉するシール部材（１２）が上記開閉蓋（３）の内面に取り付けられ、このシール部材（１２）が上記覆板（６）及び上記バネ部材（１０）ととともに弾性を有する軟質材で一体成形されたものとすることができる。
【００１３】
また、上記保湿容器において、取出口（２）を取り囲み得る環状の嵌合部材（７）が上記容器本体（１）又は上記着脱部材（１８ａ）と嵌合することにより、上記覆板（６）がこの嵌合部材（７）と上記容器本体又は上記着脱部材（１８ａ）との間に挟持されたものとすることができる。
【００１４】
また、上記保湿容器において、上記シール部材（１２）が密着しうる環状突起（７ｂ）が嵌合部材（７）に形成されたものとすることができる。
【００１５】
また、上記保湿容器において、着脱部材（１８ａ）を、容器本体（１８）に形成された湿潤シート（８）の重畳体（５）又はロール（４）の挿入口を開閉する蓋体とすることができる。
【発明の効果】
【００１６】
本発明によれば、湿潤シート（８）を収納する容器本体（１）と、この容器本体又は容器本体（１）の着脱部材（１８ａ）に設けられた湿潤シート（８）の取出口（２）と、この取出口（２）を開閉する上記容器本体（１）又は上記着脱部材（１８ａ）にヒンジ（９）で結合された開閉蓋とを具備した保湿容器において、上記容器本体（１）又は上記着脱部材（１８ａ）に上記取出口（２）より大きい開口部（１ｄ）が形成され、この開口部（１ｄ）が上記取出口（２）を有する覆板（６）により遮蔽され、上記ヒンジ（９）に対応する箇所には上記開閉蓋（３）を常時開方向に付勢するバネ部材（１０）が設けられ、上記覆板（６）と上記バネ部材（１０）は、弾性を有する軟質材で一体成形されたことから、湿潤シート（１１，１２）を滑らかに取出口（２）から引き出すことができ、しかもこの引き出し操作を片手で行うことが可能となる。また、この後続の湿潤シート（１２）を取り出す際にその先端部（１２ａ）を指で摘みやすくなる。さらに、覆板（６）とバネ部材（１０）とが一体化されているので、容器の構造を簡素化することができ、組立を簡易に行うことができる。
【発明を実施するための最良の形態】
【００１７】
次に、本発明の実施の形態について図面を参照して説明する。
【００１８】
＜実施の形態１＞
図１乃至図４に示すように、この保湿容器は、湿潤シートを収納する容器本体１と、この容器本体１に形成された湿潤シートの取出口２と、この取出口２を開閉する容器本体１にヒンジ結合された開閉蓋３とを具備する。
【００１９】
容器本体１は、たとえば合成樹脂により筒形の殻体として形成される。この容器本体１は横断面楕円形の筒体として形成されるが、円筒形、角筒形等所望の形状とすることができる。容器本体１の略楕円形の底壁１ａは容器本体１の周壁に対し凹凸縁１ｂを介して着脱自在に嵌合する。凹凸縁１ｂの嵌合により、容器本体１内が密封状態に保たれる。凹凸縁１ｂの嵌合を解除してこの底壁１ａを外すことにより、容器本体１内に湿潤シートを収納することができる。
【００２０】
図７に示すように、湿潤シート８は、切取線４が所定間隔で設けられた連続シートが巻き取られたロール４として容器本体１内に収納される。あるいは、湿潤シート８は、図８に示すように、切取線が所定間隔で設けられた連続シートが切取線上でジグザグ折り畳まれた重畳体５として容器本体１内に収納される。湿潤シート８の重なったものの全体には、アルコール等の薬液、水等が含浸している。この湿潤シート８の重なったものは当初図示しない袋内に詰められた状態で保湿容器の容器本体１内に収納される。湿潤シート８を保湿容器から一枚ずつ取り出す際に袋が容器本体１から取り出され、開封された後に中味の湿潤シート８の重なったもののみ又は開封された袋とともに容器本体１内に戻される。
【００２１】
図１乃至図４に示すように、容器本体１の上端は天壁１ｃで閉じられ、この天壁１ｃには、図２乃至図４に示すように取出口２より大きい開口部１ｄが形成され、この開口部１ｄが覆板６で遮蔽される。覆板６は弾性を有する軟質材で略円形に形成され、その中央に取出口２が形成される。開口部１ｄは湿潤シートが容易に通過しうる大きさを有し、取出口２は湿潤シートが絞られた状態で通過しうる大きさを有する。覆板６が軟質材で作られているので、取出口２はピンホール状に形成しても湿潤シートを取り出すことが可能である。
【００２２】
覆板６は、シリコンゴム、エラストマーで形成され、望ましくはガスバリア性、水蒸気バリア性が付与される。この覆板６が容器本体１の天壁１ｃに開口部１ｄを覆うように被せられ、所定の固定手段により容器本体１の天壁１ｃに固定される。具体的には、図５に示すように、取出口２を取り囲むように配置される嵌合部材７と天壁１ｃとの嵌合により、覆板６が天壁１ｃに固定される。嵌合部材７はリング状に形成され、天壁１ｃには嵌合部材７が嵌り込む環状壁が形成される。嵌合部材７が環状壁に嵌合することで、覆板６の周縁が嵌合部材７と天壁１ｃとの間で挟持される。これにより、取出口２が覆板６及び開口部１ｄの略中央に位置決めされる。
【００２３】
このように取出口２が覆板６に設定されることにより、図６に示すように、湿潤シート８が取出口２外に引き出される際、取出口２の回りの覆板６が弾性変形して湿潤シート８の通過を許容する。この覆板６の弾性変形により生じる力は弱いので、湿潤シート８を引く力によって容器本体１が持ち上げられるようなことはなく、湿潤シート８は円滑に取出口２を天壁１ｃの上方へと通過する。そして、後続する湿潤シート８の先端部８ａが取出口２のやや先の待機位置まで引き出されて停止する。これにより、湿潤シート８の先端部８ａは容器本体１内に落下しないように天壁１ｃ上に保持される。
【００２４】
図５及び図６に示すように、開閉蓋３は、天壁１ｃ上の覆板６を上方から覆うように設けられる。天壁１ｃにおける覆板６の周辺は凹部として形成され、この凹部内に開閉蓋３が閉状態となって入り込むと、開閉蓋３の表面と天壁１ｃの表面とが同一面化する。開閉蓋３は概ね長方形に形成され、図５に示すように、その後部が天壁１ｃの後部にヒンジピン９を介して連結される。開閉蓋３はこのヒンジピン９を介して上下方向に回動可能であり、このヒンジピン９を支点に回動することにより、取出口２を開閉する。
【００２５】
また、開閉蓋３の後部と天壁１ｃの後部との間には、開閉蓋３を常時開方向に付勢するバネ部材１０がヒンジピン９に対応するように介装される。バネ部材１０は、上記覆板６と同じ弾性を有する軟質材で覆板６と一体で成形される。図５に示すように、このバネ部材１０がヒンジピン９の近傍で開閉蓋３と天壁１ｃとの間に屈曲状態で介装される。バネ部材１０の作用により、開閉蓋３はヒンジピン９を支点にして常時上方向に回動して取出口２を開けようとする。上記嵌合部材７のバネ部材１０に対応した箇所には、このバネ部材１０を通すための切欠７ａが形成される。
【００２６】
一方、図５及び図６に示すように、開閉蓋３の前端部に対応して天壁１ｃの前端部にはロック片１１が設けられる。ロック片１１は、天壁１ｃに対し枢ピン１１ａを介して上下に回動自在に支持される。ロック片１１には、開閉蓋３の前端に設けられた突起３ａが引っ掛かるロック部１１ｂが設けられ、枢ピン１１ａよりも容器本体１の前側には、開閉蓋３の開閉操作をする際に指で押さえる指掛け部１１ｃが設けられる。開閉蓋３が閉まった状態では、開閉蓋３の突起３ａがロック片１１のロック部１１ｂに引っ掛かることにより閉状態が維持される。指掛け部１１ｃを容器本体１側に押圧すると、ロック片１１が枢ピン１１ａの回りを反時計方向に回動し、ロック部１１ｂが突起３ａから離反し、これにより開閉蓋３はロック片１１から解放され、バネ部材１０の弾性作用によりヒンジピン９の回りを上方向に回動し、取出口２を開放する。
【００２７】
また、図１、図５及び図６に示すように、開閉蓋３の内面には、開閉蓋３が閉じた時に取出口２を密閉するシール部材１２が取り付けられる。シール部材１２は上記覆板６と略同じ大きさ、形状に形成され、固定ピン１３等の固定手段により開閉蓋３の内面に固定される。シール部材１２は、覆板６とバネ部材１０と共にそれらと同じ材質の弾性を有する軟質材で一体成形される。具体的には、シール部材１２、覆板６及びバネ部材１０の三者が一体となって一枚のシートから打ち抜かれ、あるいはインジェクションにより一体で成形される。
【００２８】
図５及び図６に示すように、上記嵌合部材７には、シール部材１２が密着しうる環状突起７ｂが形成される。開閉蓋３が閉じた時にシール部材１２が環状突起７ｂに当接することにより、取出口２が密閉され、湿潤シート８からの含浸液の揮散が防止される。また、開閉蓋３の内面には、シール部材１２の外周縁と環状突起７ｂとに対応するように、環状の押圧部３ｂが環状リブとして形成される。開閉蓋３が閉じられると、図５に示すように、押圧部３ｂがシール部１２を環状突起７ｂに押圧し、これにより取出口２の回りはより高度に密封され、湿潤シート８からの含浸液の揮散が防止される。
【００２９】
次に、上記構成の保湿容器の作用について説明する。
【００３０】
湿潤シート８は当初多数枚積み重ねられた状態で袋内に詰められ、保湿容器の容器本体１内に収納された状態で販売される。
【００３１】
使用者は、購入当初容器本体１の底壁１ａを外して袋を取り出し、袋を開いて湿潤シート８の重畳体５又はロール４を取り出し、この重畳体５又はロール４を容器本体１内に収納し、湿潤シート８の先端部８ａを取出口２から容器本体１外へと引き出し、再び底壁１ａで容器本体１を閉じ、開閉蓋３を閉じる。
【００３２】
湿潤シート８を使用する場合、ロック片１１の指掛け部１１ｃを押して開閉蓋３のロックを解除する。開閉蓋３はバネ部材１０の復元力により自動的に上方に回動し、覆板６の上側を開放する。
【００３３】
使用者は、取出口２から覗く湿潤シート８の先端部８ａを指で摘んで取出口２から容器本体１外に引き出す。
【００３４】
湿潤シート８は取出口２から引き出されつつ、その内縁に扱かれる。これにより、アルコール等の余剰の含浸液が容器本体１内に戻される。また、取出口２が形成された覆板６は弾性を有する軟質材で形成されているので、湿潤シート８の取り出しの際、容易に変形する。この覆板６の弾性変形により生じる力は湿潤シート８を引っ張る力に比べて極めて小さいので、湿潤シート８を引く力によって容器本体１が持ち上げられるようなことはなく、湿潤シート８は円滑に取出口２外に引き出される。
【００３５】
この先行する湿潤シート８が引き出されると、後続する湿潤シート８の先端部８ａが取出口を少しばかり過ぎた待機位置まで引き出されて停止する。これにより、湿潤シート８の先端部８ａは天壁１ｃ上における取出口２の縁に保持され、容器本体１内への落下が防止される。
【００３６】
湿潤シート８がそれ以上必要でない場合は、使用者により開閉蓋３が閉じられる。使用者が開閉蓋３をバネ部材１０の付勢力に抗して閉じると、開閉蓋３の突起３ａがロック片１１のロック部１１ｂに引っ掛かり、これにより開閉蓋３が閉状態に保持される。
【００３７】
開閉蓋３が閉じると、図５に示すように、取出口２の回りが密封され、湿潤シート８の含浸液の揮散が防止され、さらには取出口２からの容器本体１内における湿潤シート８の含浸液の揮散が防止される。
【００３８】
＜実施の形態２＞
図９に示すように、この実施の形態２の保湿容器では、容器本体１４が略直方体に形成される。また、取出口１５が覆板１６にスリット状又はスロット状に形成される。開閉蓋３は容器本体１４にインテグラルヒンジ１７により連結される。
【００３９】
この保湿容器には、図８に示した湿潤シート８がジグザグに積み重ねられたものが収納され、或いは多数の湿潤シート８がＺ字状に折られ、隣り合うもの同士で折れ部が互いに他方の間に入り込むように積み重ねられたものが収納される。
【００４０】
なお、この実施の形態２において実施の形態１のものと同じ部分には同一符号を付して示すこととし、重複した説明を省略する。
【００４１】
＜実施の形態３＞
図１０に示すように、この実施の形態３では、実施の形態１の場合と異なり、容器本体１８の着脱部材１８ａに覆板６が取り付けられ、この覆板６に湿潤シート８の取出口２が形成され、この取出口２を開閉する開閉蓋３が着脱部材１８ａに連結される。
【００４２】
着脱部材１８ａは、具体的には容器本体１８に形成された湿潤シート８の重畳体５又はロール４の挿入口を開閉するための蓋体である。この場合、この蓋体は容器本体１８にネジ、凹凸嵌合等の適宜手段により取り付けられている。
【００４３】
なお、この実施の形態３において実施の形態１のものと同じ部分には同一符号を付して示すこととし、重複した説明を省略する。
【００４４】
本発明は以上説明したように構成されるが、上記実施の形態１，２，３に限定されるものではない。
【図面の簡単な説明】
【００４５】
【図１】本発明の実施の形態１に係る保湿容器を開閉蓋の開いた状態で示す斜視図である。
【図２】図１に示す保湿容器を開閉蓋の閉じた状態で示す平面図である。
【図３】図１中、ＩＩＩ−ＩＩＩ線矢視断面図である。
【図４】図１中、ＩＶ−ＩＶ線矢視断面図である。
【図５】図３中、要部の拡大図である。
【図６】図５中、開閉蓋を開いた状態で示す拡大図である。
【図７】湿潤シートを巻き取ったロールから湿潤シートを取り出している状態を示す斜視図である。
【図８】湿潤シートをジグザグ折りした重畳体から湿潤シートを取り出している状態を示す斜視図である。
【図９】本発明の実施の形態２に係る保湿容器を開閉蓋の開いた状態で示す斜視図である。
【図１０】本発明の実施の形態３に係る保湿容器を開閉蓋の開いた状態で示す斜視図である。
【符号の説明】
【００４６】
１…容器本体
１ｄ…開口部
２…取出口
３…開閉蓋
４…ロール
５…重畳体
６…覆板
７…嵌合部材
７ｂ…環状突起
８…湿潤シート
９…ヒンジ
１０…バネ部材
１２…シール部材
１８…容器本体
１８ａ…着脱部材
【図１】
2008100748.tif 000003
【図２】
2008100748.tif 000004
【図３】
2008100748.tif 000005
【図４】
2008100748.tif 000006
【図５】
2008100748.tif 000007
【図６】
2008100748.tif 000008
【図７】
2008100748.tif 000009
【図８】
2008100748.tif 000010
【図９】
2008100748.tif 000011
【図１０】
2008100748.tif 000012